(57)【要約】【課題】  内部の圧力が異常に上昇したとき、内部のガスを十分に放出することができるエアゾール容器を提供する。【解決手段】  染毛剤が収容されたエアゾール容器１１を構成するエアゾール容器本体１２は、ポリエチレンテレフタレート（ＰＥＴ）により有底円筒状に形成されている。エアゾール容器本体１２の首部１４には口元部１５が連設され、口元部１５にはバルブ機構１６が配設されている。バルブ機構１６は、口元部１５及び首部１４の外周まで延びた保持プレート２８によってエアゾール容器本体１２に保持されている。口元部１５にはエアゾール容器本体１２内に収容された染毛剤からのガスによって内圧が異常に上昇したときガスを外部へ放出するための貫通孔２９がエアゾール容器本体１２の軸線方向に延びるように設けられている。【選択図】      図１
2005162231.tif 000002
【特許請求の範囲】
【請求項１】
エアゾール容器本体の首部には口元部が連設され、口元部にはバルブ機構が配設され、該バルブ機構が口元部及び首部の外周まで延びた保持プレートによってエアゾール容器本体に保持されているエアゾール容器であって、前記口元部にはエアゾール容器本体内に収容された収容物から発生するガスによって内圧が異常に上昇したときガスを外部へ放出するための貫通孔が設けられていることを特徴とするエアゾール容器。
【請求項２】
前記貫通孔はエアゾール容器本体の軸線方向に延びる孔である請求項１に記載のエアゾール容器。
【請求項３】
前記貫通孔はエアゾール容器本体の外部側ほど拡径されるようにテーパ状に形成されている請求項１又は請求項２に記載のエアゾール容器。
【発明の詳細な説明】
【技術分野】
【０００１】
本発明は、例えば染毛剤を噴霧して使用するためのエアゾール容器に関するものである。更に詳しくは、内部の圧力が異常に上昇したとき、内部のガスを十分に放出することができるエアゾール容器に関するものである。
【背景技術】
【０００２】
従来、この種のエアゾール容器としては、次のような構成のエアゾール容器が知られている（例えば、特許文献１を参照）。すなわち、容器本体の首部には口元部が連設され、その口元部にはバルブ機構が配設されている。該バルブ機構は首部及び口元部の外周まで延びた取付プレートによって容器本体に取付けられている。上記口元部外周面における首部側端部に容器本体の軸方向へ延びる溝が形成されている。そして、高温下において容器本体内の圧力が上昇したとき、内部のガスを前記溝を介して外部へ放出するようになっている。
【特許文献１】特許第２７５７２７７号公報（第１頁及び図２）
【発明の開示】
【発明が解決しようとする課題】
【０００３】
ところが、従来のエアゾール容器の構成では、溝が口元部外周面における首部側端部に設けられている。このため、高温下において容器本体内の圧力が上昇したとき、内部のガスが首部と口元部の内周部や先端面で封止されやすく、異常時に内部のガスを溝から排気することが十分にできない場合があるという問題があった。
【０００４】
本発明は、このような従来技術に存在する問題点に着目してなされたものである。その目的とするところは、内部の圧力が異常に上昇したとき、内部のガスを十分に放出することができるエアゾール容器を提供することにある。
【課題を解決するための手段】
【０００５】
上記の目的を達成するために、請求項１に記載の発明のエアゾール容器は、エアゾール容器本体の首部には口元部が連設され、口元部にはバルブ機構が配設され、該バルブ機構が口元部及び首部の外周まで延びた保持プレートによってエアゾール容器本体に保持されているエアゾール容器であって、前記口元部にはエアゾール容器本体内に収容された収容物から発生するガスによって内圧が異常に上昇したときガスを外部へ放出するための貫通孔が設けられていることを特徴とするものである。
【０００６】
請求項２に記載の発明のエアゾール容器は、請求項１に記載の発明において、前記貫通孔はエアゾール容器本体の軸線方向に延びる孔である。
請求項３に記載の発明のエアゾール容器は、請求項１又は請求項２に記載の発明において、前記貫通孔はエアゾール容器本体の外部側ほど拡径されるようにテーパ状に形成されているものである。
【発明の効果】
【０００７】
本発明によれば、次のような効果を発揮することができる。
請求項１に記載の発明のエアゾール容器によれば、内部の圧力が異常に上昇したとき、貫通孔によって内部のガスを十分に放出することができる。従って、エアゾール容器本体等が損傷を受けることを防止することができる。
【０００８】
請求項２に記載の発明のエアゾール容器によれば、請求項１に係る発明の効果に加え、通常時には貫通孔によって内部のガスが放出されることなく、内部の圧力が上昇した異常時には貫通孔によって内部のガスを確実に放出することができる。
【０００９】
請求項３に記載の発明のエアゾール容器によれば、請求項１又は請求項２に係る発明の効果に加え、テーパ状に形成された貫通孔内を通過するガスの排出をより容易にすることができる。
【発明を実施するための最良の形態】
【００１０】
以下、本発明の実施形態につき、図面を用いて詳細に説明する。
図３に示すように、収容物として染毛剤が収容されたエアゾール容器１１を構成するエアゾール容器本体１２は、ポリエチレンテレフタレート（ＰＥＴ）により有底円筒状に形成されている。エアゾール容器本体１２の底部には脚部１３が膨出形成されると共に、上部には縮径された首部１４が設けられている。図１に示すように、エアゾール容器本体１２の首部１４の上端部には円環状をなす肉厚の口元部１５が連設され、該口元部１５にはバルブ機構１６が配設されている。口元部１５の上端面には断面三角形状をなす環状シール突条１５ａが設けられている。
【００１１】
ここで、バルブ機構１６について説明する。筒状をなすバルブハウジング１７の上部にはエアゾール容器本体１２の軸線方向と直交する方向に延びるフランジ１８が突設され、該フランジ１８がパッキン１９を介して口元部１５の上端面に載置されると共に、バルブハウジング１７の外周面が口元部１５の内周面に密着している。この状態で口元部１５の環状シール突条１５ａがパッキン１９に食い込んでエアゾール容器本体１２内と外部とが主にシールされている。
【００１２】
バルブハウジング１７の下部にはディップチューブ２０が内嵌され、段部を有する吸入通路２１を経てバルブハウジング１７内の空間部２２に連通されている。バルブハウジング１７内には柱状のステム２３がステムラバー２４によって支持されている。このステム２３の下端部とバルブハウジング１７内底部との間にはコイルスプリング２５が介装され、常にはステム２３を上方へ付勢している。ステム２３にはその上端部から下方へ吐出通路２６が穿設されている。ステム２３のステムラバー２４による支持部には、ステム２３が図示しない操作部材によってコイルスプリング２５の付勢力に抗して下方へ押圧されたとき、吐出通路２６とバルブハウジング１７内の空間部２２とが連通される連通路２７が形成されている。このようなバルブ機構１６がエアゾール容器本体１２の首部１４及び口元部１５と共に、アルミニウム合金等の金属で形成された保持プレート２８をかしめ付けることによって覆われ、エアゾール容器本体１２に保持されている。
【００１３】
図１及び図２に示すように、前記エアゾール容器本体１２の口元部１５の環状シール突条１５ａより外周位置には、エアゾール容器本体１２の軸線方向に延びる円孔状の貫通孔２９が透設されている。この貫通孔２９はエアゾール容器本体１２の周方向に９０度毎に４箇所設けられている。そして、図４に示すように、エアゾール容器本体１２内部の圧力が異常に上昇したとき、エアゾール容器本体１２の首部１４及び口元部１５が変形して貫通孔２９を介してエアゾール容器本体１２内部のガスを放出するようになっている。
【００１４】
さて、染毛剤が充填されたエアゾール容器１１を使用して毛髪に染毛を施す場合には、図示しない操作部材を操作することによりコイルスプリング２５の付勢力に抗してステム２３がステムラバー２４を押し下げるようにして下降する。このとき、連通路２７が開かれて吐出通路２６とバルブハウジング１７内の空間部２２とに連通される。そのため、エアゾール容器本体１２内の染毛剤はディップチューブ２０、吸入通路２１、空間部２２、連通路２７及び吐出通路２６を通って泡状に吐出される。
【００１５】
エアゾール容器１１の不使用時に外気温が例えば８０℃まで上昇したときには、図４に示すように、エアゾール容器本体１２内の圧力が例えば４×１０3ｋＰａ（４０kgf／cm2）まで異常に上昇し、ＰＥＴ製のエアゾール容器本体１２の上部が変形すると共に、バルブ機構１６が若干上昇する。すなわち、首部１４は下部が外方へ開くように傾斜し、それに伴って口元部１５も傾く。このとき、口元部１５の内周面とバルブハウジング１７の外周面との間に第１隙間３０ができると共に、口元部１５の上端面の環状シール突条１５ａより内側部分とパッキン１９との間に第２隙間３１ができ、更には口元部１５の上端面の環状シール突条１５ａより外側部分とパッキン１９との間に第３隙間３２が形成される。
【００１６】
加えて、保持プレート２８の裾部が押し広げられ、口元部１５の外周側下面と保持プレート２８との間にも第４隙間３３が形成される。そのため、エアゾール容器本体１２内のガスは第１隙間３０、第２隙間３１から第３隙間３２を通り、貫通孔２９を通り抜けて第４隙間３３を経て外部へ放出される。従って、エアゾール容器本体１２内のガスの圧力が異常に上昇したとき、エアゾール容器本体１２内のガスが速やかに外部へ放出される。そして、外気温が常温にまで下がった場合には、図１に示すように、エアゾール容器本体１２の膨張による変形が解消され、エアゾール容器１１は元の状態に戻る。
【００１７】
以上の実施形態によって発揮される効果について、以下に記載する。
・  実施形態のエアゾール容器１１によれば、気温の上昇等によって内部の圧力が異常に上昇したとき、貫通孔２９によって内部のガスを十分に放出することができる。従って、エアゾール容器本体１２やバルブ機構１６が損傷を受けたり、破裂したりすることを防止することができる。
【００１８】
・  また、貫通孔２９は環状シール突条１５ａより外側位置でエアゾール容器本体１２の軸線方向に延びる円孔である。このため、通常時には貫通孔２９によって内部のガスが放出されることなく、内部の圧力が上昇した異常時には内部のガスを第１隙間３０、第２隙間３１及び第３隙間３２から貫通孔２９を通ってエアゾール容器本体１２の外部へ確実に放出することができる。
【００１９】
尚、本実施形態は、次のように変更して具体化することも可能である。
・  図５（ａ）に示すように、貫通孔２９をエアゾール容器１１の外部（下部）ほど拡径するテーパ状に形成することができる。貫通孔２９をこのように構成した場合、貫通孔２９を通過する空気の排出をより容易にすることができる。
【００２０】
・  図５（ｂ）に示すように、貫通孔２９をその上端部が環状シール突条１５ａより内周側に位置するように斜めに形成することもできる。この場合、貫通孔２９の上端部が環状シール突条１５ａより内周側にあるため、貫通孔２９へ容易に空気を導いて排出することができる。尚、この貫通孔２９を外部（下部）ほど拡径するテーパ状に形成することができる。
【００２１】
・  図５（ｃ）に示すように、貫通孔２９を口元部１５の上部においてエアゾール容器本体１２の軸線と直交する方向に透設することもできる。尚、この貫通孔２９を外部ほど拡径するテーパ状に形成することができる。
【００２２】
・  貫通孔２９の数を１〜３個、５個以上等に変更したり、孔径を変更したりすることもできる。また、貫通孔２９を周方向に延びる長孔状に形成することもできる。貫通孔２９は、エアゾール容器本体１２内のガスを外部へ均等に抜くために、周方向にできるだけ均等に配置されることが望ましい。
【００２３】
・  エアゾール容器本体１２を、ポリブチレンテレフタレート（ＰＢＴ）、ポリカーボネート樹脂、アクリル樹脂等で形成することもできる。
・  エアゾール容器本体１２内の収容物として、整髪料、化粧料、糊剤等を用いることもできる。
【００２４】
更に、前記実施形態又は別例より把握できる技術的思想について以下に記載する。
(1)  前記バルブ機構には容器本体の軸線方向と直交する外方へ延びるフランジを突設し、該フランジと前記口元部との間にはパッキンを介装したことを特徴とする請求項１から請求項３のいずれか一項に記載のエアゾール容器。このように構成した場合、バルブ機構のフランジとエアゾール容器本体の口元部との間のシール性能を向上させることができる。
(2)  前記エアゾール容器本体の口元部の前記フランジと対向する部分には環状シール突条を突設したことを特徴とする上記技術思想(1)に記載のエアゾール容器。この構成によれば、バルブ機構のフランジとエアゾール容器本体の口元部との間のシール性能を一層向上させることができる。
(3)  前記貫通孔は環状シール突条より外周位置に設けられている上記技術思想(2)に記載のエアゾール容器。この構成によれば、使用時等においてエアゾール容器本体内のガスが不用意に外部へ放出されるのを抑制することができる。
(4)  前記貫通孔はエアゾール容器本体の周方向において１８０度対向する位置に設けられている上記技術思想(3)に記載のエアゾール容器。この構成によれば、エアゾール容器本体内のガスを周方向に均一に放出することができる。
【図面の簡単な説明】
【００２５】
【図１】実施形態におけるエアゾール容器の要部を示す断面図。
【図２】エアゾール容器本体を示す平面図。
【図３】エアゾール容器を示す部分破断正面図。
【図４】エアゾール容器の作用を示す要部断面図。
【図５】（ａ）から（ｃ）は貫通孔の別例を示す部分断面図。
【符号の説明】
【００２６】
１１…  エアゾール容器、１２…エアゾール容器本体、１４…首部、１５…口元部、１６…バルブ機構、２８…保持プレート、２９…貫通孔。
【図１】
2005162231.tif 000003
【図２】
2005162231.tif 000004
【図３】
2005162231.tif 000005
【図４】
2005162231.tif 000006
【図５】
2005162231.tif 000007